(57)【要約】      （修正有）【課題】折り鶴等の装着状態が安定し、載置状態を安定して環状とする作業が簡単で、小さなスペースで保管・輸送が可能な折り畳み式の環状陳列体を提供する。【解決手段】弾力性を有する四辺形の板の平行する二辺Ｊ３、Ｊ５が環状下部にて当接し、この二辺に直角なる一対の彎曲分割線Ｊ６、Ｊ７と、彎曲分割線間を結ぶ連結分割線Ｊ８、Ｊ９によって、陳列物を貫通・保持する開口部を頂上に配設した環状陳列板Ｊにおいて左側板・右側板に、一対の弓形分割線Ｐ３、Ｍ３からなる左支持板Ｐ・右支持板Ｍを配設すると共に、右側板の内側と左側板の外側に沿ってそれぞれ彎曲する環状下部の当接二辺を延長した内彎曲板Ｋ・外彎曲板Ｌに、一対の弓形分割線Ｎ３、Ｑ３からなる内支持板Ｎ・外支持板Ｑを配設し、左支持板Ｐと外支持板Ｑ、及び右支持板Ｍと内支持板Ｎをそれぞれ互いに接着して、これらを左右に突設した環状陳列体とする。【選択図】図６
0003197128.tif 000002
【実用新案登録請求の範囲】
【請求項１】
弾力性を有する外形形状の四辺形のうちの平行する二辺が環状下部にて当接し、この二辺に直角なる一対の彎曲分割線と、この彎曲分割線間を結ぶ連結分割線による頂上開口部を頂上に配設し、一対の前記彎曲分割線を二辺とする貫通孔に貫通した陳列物を、前記連結分割線が形成する頂点が対向する一対の凸状保持板にて圧接した環状陳列板において、環状状態を形成する左右側板のうちの右側板と、前記環状下部の当接する二辺のうちの左辺を延長したところの前記右側板の内面に沿った内彎曲板に、弦が前記環状下部の当接する二辺に平行し、頂点が前記環状陳列板の頂上方向に向かうところの共用弓形分割線を配設し、この共用弓形分割線により突設した前記右側板の右支持板と、前記内彎曲板の内支持板を互いに接着した環状陳列体。
【請求項２】
環状状態を形成する左右側板のうちの左側板に、前記環状下部の当接する二辺を対称軸として前記内支持板と対称的なる左支持板を突設し、また、前記環状下部の当接する二辺のうちの右辺を延長したところの、前記左側板の外面に沿った外彎曲板に、前記環状下部の当接する二辺を対称軸として前記右支持板と対称的なる外支持板を突設し、この外支持板と前記左支持板を互いに接着した請求項１記載の環状陳列体。
【考案の詳細な説明】
【技術分野】
【０００１】  本考案は、折り紙の折り鶴等の環状陳列体に関するものである。
【背景技術】
【０００２】  従来の折り紙の折り鶴等の垂直断面形状が環状なる環状陳列体は、安定した載置状態になるとは言えず、また、環状の構造とする作業が容易でないという問題があった。【０００３】  以下、図１・２により従来の環状陳列体Ｂについて説明する。【０００４】  従来の環状陳列体Ｂは、頂上開口部Ａ１を配設したところの環状陳列板Ａの垂直断面形状を環状とするものである。【０００５】  環状陳列体Ｂは厚み０．３ｍｍ程度の、ある程度の弾性を有するところの厚紙にて、四辺Ａ２〜Ａ５からなる長方形の外形形状の環状陳列板Ａの下部Ａ２４の左辺Ａ３と右辺Ａ５を、接着剤によって互いに接着して環状状態とし、また、環状陳列板Ａの中央には彎曲分割線Ａ６・Ａ７とＸ字状の連結分割線Ａ８・Ａ９からなる頂上開口部Ａ１を配設している。【０００６】  彎曲分割線Ａ６・Ａ７は外形形状の上下辺Ａ２・Ａ４にそれぞれ平行し、また、連結分割線Ａ８・Ａ９は、一方の彎曲分割線Ａ６の左端Ａ１０・右端Ａ１１と、他方の彎曲分割線Ａ７の右端Ａ１３・左端Ａ１２をそれぞれ結んで、２本の連結分割線Ａ８・Ａ９がＸ字状に配設されている。【０００７】  したがって、環状陳列板Ａの左右側板Ａ１６・Ａ１７にて環状とされた頂上Ａ１８には、対向する彎曲分割線Ａ６・Ａ７を二辺とする貫通孔Ａ１９と、左右対称なる一対の三角形の左右凸状保持板Ａ２０・Ａ２１からなる頂上開口部Ａ１を形成することとなるが、この時、左右凸状保持板Ａ２０・Ａ２１は、弾性を有する材質により元の状態に戻ろうとする反発力が発生して彎曲されることはなく、この左右凸状保持板Ａ２０・Ａ２１は、互いに中央に向かって傾斜して、頂点Ａ２２・Ａ２３間に、ある程度の間隔を形成することとなり、さらに、この間隔を大きくするならば、上述とは反対に、弾性を有する材質により、頂点Ａ２２・Ａ２３間の間隔を小さくしようとする反発力が発生する、例えば、貫通孔Ａ１９に折り鶴を挿入した場合、折り鶴の足を形成する一対の谷折り内に、三角形の左右凸状保持板Ａ２０・Ａ２１の一対の頂点Ａ２２・Ａ２３を左右より装入して、この頂点Ａ２２・Ａ２３の間隔が、折り鶴により大きくなるならば、左右凸状保持板Ａ２０・Ａ２１は、折り鶴の谷折り内に圧接されることとなる、すなわち、折り鶴の装着状態は安定することとなる。【０００８】  また、環状陳列板Ａは、頂上開口部Ａ１に陳列物を貫通しなくても、環状陳列板Ａは環状となっている、すなわち、一対の左右凸状保持板Ａ２０・Ａ２１の頂点Ａ２２・Ａ２３間に、ある程度の間隔が形成されることとなり、陳列物を貫通し易いとともに、環状陳列板Ａの左辺Ａ３と右辺Ａ５を接着する作業を除けば、弾力性を有する材料をもって扁平状に折り畳みができ、小さなスペースで保管・輸送が可能な折り畳み式の環状陳列体Ｂとなる。
【考案の概要】
【考案が解決しようとする課題】
【０００９】  従来の折り紙の折り鶴等の陳列は、折り鶴が軽量であるとともに、筒状としないところの折り鶴下部の複雑な形状等より、円形や四辺形の貫通孔等に投入するだけで安定させることは不可能であり、陳列された折り紙の折り鶴等の装着状態が安定するとともに、また、環状陳列体の垂直断面形状が環状であるけれども、安定した載置状態となり、環状の構造とする作業が容易となるところの、小さなスペースで保管・輸送が可能な折り畳み式の環状陳列体を得ることを目的とする。
【課題を解決するための手段】
【００１０】  本考案の第一の課題解決手段は、弾力性を有する外形形状の四辺形のうちの平行する二辺が環状下部にて当接し、この二辺に直角なる一対の彎曲分割線と、この彎曲分割線間を結ぶ連結分割線による頂上開口部を頂上に配設し、一対の彎曲分割線を二辺とする貫通孔に貫通した陳列物を、連結分割線が形成する頂点が対向する一対の凸状保持板にて圧接した環状陳列板において、環状状態を形成する左右側板のうちの右側板と、環状下部の当接する二辺のうちの左辺を延長したところの右側板の内面に沿った内彎曲板に、弦が環状下部の当接する二辺に平行し、頂点が環状陳列板の頂上方向に向かうところの共用弓形分割線を配設し、この共用弓形分割線により突設した右側板の右支持板と、内彎曲板の内支持板を互いに接着した環状陳列体とするものである。【００１１】  本考案の第二の課題解決手段は、上述の第一の課題解決手段となる環状陳列体において、環状状態を形成する左右側板のうちの左側板に、環状下部の当接する二辺を対称軸として内支持板と対称的なる左支持板を突設し、また、環状下部の当接する二辺のうちの右辺を延長したところの、左側板の外面に沿った外彎曲板に、環状下部の当接する二辺を対称軸として右支持板と対称的なる外支持板を突設し、この外支持板と左支持板を互いに接着した環状陳列体とするものである。
【考案の効果】
【００１２】  上述の様に第一の考案効果は、弾力性を有する外形形状の四辺形のうちの平行する二辺が環状下部にて当接し、この二辺に直角なる一対の彎曲分割線と、この彎曲分割線間を結ぶ連結分割線による頂上開口部を頂上に配設し、一対の彎曲分割線を二辺とする貫通孔に貫通した陳列物を、連結分割線が形成する頂点が対向する一対の凸状保持板にて圧接した環状陳列板は、一対の左右凸状保持板の頂点間に、ある程度の間隔が形成されて陳列物を貫通し易くなり、頂上開口部に貫通した陳列物を、互いに中央に向かって傾斜するところの左右凸状保持板にて、左右より圧接することとなり、陳列物の装着状態が安定する環状陳列板となる。【００１３】  また、環状状態を形成する左右側板のうちの右側板と、環状下部の当接する二辺のうちの左辺を延長したところの右側板の内面に沿った内彎曲板に、弦が環状下部の当接する二辺に平行し、頂点が環状陳列板の頂上方向に向かうところの共用弓形分割線を配設し、この共用弓形分割線により突設した右側板の右支持板と、内彎曲板の内支持板を互いに接着した環状陳列体は、環状陳列体の右方向に突設した内支持板と右支持板により、環状陳列体が安定した載置状態となり、また、内支持板と右支持板が互いに接着される、すなわち、内彎曲板と右側板が重なり合って彎曲し、環状陳列体を環状の構造とする作業が容易になり、また、内支持板と右支持板を互いに接着する作業を除けば、弾力性を有する材料をもって扁平状に折り畳みができ、小さなスペースで保管・輸送が可能な折り畳み式の環状陳列体となる。【００１４】  また、第二の考案効果は、上述の第一の考案効果となる環状陳列体において、環状状態を形成する左右側板のうちの左側板に、環状下部の当接する二辺を対称軸として内支持板と対称的なる左支持板を突設し、また、環状下部の当接する二辺のうちの右辺を延長したところの、左側板の外面に沿った外彎曲板に、環状下部の当接する二辺を対称軸として右支持板と対称的なる外支持板を突設し、この外支持板と前記左支持板を互いに接着した環状陳列体は、環状陳列体の左右方向に突設した外支持板と左支持板、及び内支持板と右支持板により、安定した載置状態となり、また、外支持板と左支持板、及び内支持板と右支持板が互いに接着される、すなわち、外彎曲板と左側板、及び内彎曲板と右側板が重なり合って彎曲し、環状陳列体を環状の構造とする作業が容易になり、また、外支持板と左支持板、及び内支持板と右支持板を互いに接着する作業を除けば、弾力性を有する材料をもって扁平状に折り畳みができ、小さなスペースで保管・輸送が可能な折り畳み式の環状陳列体となる。
【図面の簡単な説明】
【００１５】
【図１】従来の環状陳列体の正面より見た要部断面図である。
【図２】同環状陳列板の展開図である。
【図３】本考案の実施の形態１を示す環状陳列体の正面より見た要部断面図である。
【図４】同環状陳列体の展開図である。
【図５】本考案の実施の形態２を示す環状陳列体の正面より見た要部断面図である。
【図６】同環状陳列体の展開図である。
【考案を実施するための形態】
【００１６】  以下、本考案の実施の形態を実施例にもとづき図面を参照して説明する。
【実施例１】
【００１７】  実施の形態１を示す図３・４において、環状陳列体Ｃは、環状陳列板Ｅと内彎曲板Ｆに、それぞれ右支持板Ｇと内支持板Ｈを突設する実施例である。【００１８】  環状陳列体Ｃは厚み０．３ｍｍ程度の、ある程度の弾性を有するところの厚紙にて、四辺Ｅ２〜Ｅ５からなる長方形の外形形状の環状陳列板Ｅと、四辺Ｆ１〜Ｆ４からなる長方形の外形形状の内彎曲板Ｆより構成されている。【００１９】  環状陳列板Ｅは、上述の従来の環状陳列板Ａと同等であり、頂上開口部Ｅ１、辺Ｅ２〜Ｅ５、彎曲分割線Ｅ６・Ｅ７、連結分割線Ｅ８・Ｅ９、左端Ｅ１０・Ｅ１２、右端Ｅ１１・Ｅ１３、左右側板Ｅ１６・Ｅ１７、頂上Ｅ１８、貫通孔Ｅ１９、左右凸状保持板Ｅ２０・Ｅ２１、頂点Ｅ２２・Ｅ２３、下部Ｅ２４は、上述の従来の環状陳列板Ａの頂上開口部Ａ１、辺Ａ２〜Ａ５、彎曲分割線Ａ６・Ａ７、連結分割線Ａ８・Ａ９、左端Ａ１０・Ａ１２、右端Ａ１１・Ａ１３、左右側板Ａ１６・Ａ１７、頂上Ａ１８、貫通孔Ａ１９、左右凸状保持板Ａ２０・Ａ２１、頂点Ａ２２・Ａ２３、下部Ａ２４にそれぞれ相当するものであるが、右側板Ｅ１７の下部Ｅ２４には、弓形分割線Ｇ３を配設している。【００２０】  弓形分割線Ｇ３は、環状陳列板Ｅの頂上開口部Ｅ１に向かう頂点Ｇ１と、環状陳列板Ｅの右辺Ｅ５に平行するところの弦Ｇ２からなり、この弓形分割線Ｇ３より形成される右支持板Ｇには、弾力性を有する材質により元の状態に戻ろうとする反発力が発生して彎曲することはなく、ほぼ水平状態に近い状態にて環状陳列体Ｃの右方向に突設されることとなる。【００２１】  内彎曲板Ｆは、環状陳列板Ｅの左辺Ｅ３の延長に付設されたものであり、内彎曲板Ｆの四辺Ｆ１〜Ｆ４のうちの右辺Ｆ４と、環状陳列板Ｅの左辺Ｅ３を一体とし、環状とした環状陳列板Ｅの右側板Ｅ１７の内面に沿って重ね合わせられており、この内彎曲板Ｆには内支持板Ｈを配設している。【００２２】  内支持板Ｈは、環状陳列板Ｅの右支持板Ｇとほぼ同等であり、内支持板Ｈの頂点Ｈ１、弦Ｈ２、弓形分割線Ｈ３は、右支持板Ｇの頂点Ｇ１、弦Ｇ２、弓形分割線Ｇ３にそれぞれ相当して、環状陳列板Ｅの頂上開口部Ｅ１に向かう頂点Ｈ１と、内彎曲板Ｆの右辺Ｆ４に平行するところの弦Ｈ２からなる弓形分割線Ｈ３より形成されるものである。【００２３】  なお、内支持板Ｈと右支持板Ｇをほぼ同等としているが、内彎曲板Ｆが環状陳列板Ｅの右側板Ｅ１７の内面に沿って密着された状態に限って、内支持板Ｈと右支持板Ｇは、弾力性を有する材質により元の状態に戻ろうとする反発力が発生して彎曲することはなく、内支持板Ｈと右支持板Ｇを、ほぼ水平状態に近い状態にて環状陳列体Ｃの右方向に突設した場合、内支持板Ｈが右支持板Ｇ上に密着できるものとしている。【００２４】  したがって、四辺Ｅ２〜Ｅ５からなる長方形の外形形状の環状陳列板Ｅの下部Ｅ２４の左辺Ｅ３と右辺Ｅ５を、接着剤によって互いに接着して環状状態とし、また、環状陳列板Ｅの中央には彎曲分割線Ｅ６・Ｅ７とＸ字状の連結分割線Ｅ８・Ｅ９からなる頂上開口部Ｅ１を配設しており、一対の左右凸状保持板Ｅ２０・Ｅ２１の頂点Ｅ２２・Ｅ２３間に、ある程度の間隔が形成されて陳列物を貫通し易くなり、貫通孔Ｅ１９に貫通した陳列��を、互いに中央に向かって傾斜するところの左右凸状保持板Ｅ２０・Ｅ２１にて、左右より圧接することとなり、陳列物の装着状態が安定する環状陳列板Ｅとなる。【００２５】  また、右支持板Ｇと内支持板Ｈを、環状陳列体Ｃの右方向に突設して接着剤にて互いに接着すると、内彎曲板Ｆと右側板Ｅ１７が重なり合って彎曲することとなり、この内彎曲板Ｆと右側板Ｅ１７を互いに接着するならば、環状陳列体Ｃを環状の構造とする作業は容易であり、環状陳列体Ｃが安定した載置状態となるものであり、また、これらの互いに接着する作業を除けば、弾力性を有する材料をもって扁平状に折り畳みができ、小さなスペースで保管・輸送が可能な折り畳み式の環状陳列体Ｃとなる。【００２６】  上述の実施例において、環状陳列板Ｅを厚紙製としているが、弾力性を有するプラスチック板としてもよい。【００２７】  また、頂上開口部Ｅ１の彎曲分割線Ｅ６・Ｅ７と連結分割線Ｅ８・Ｅ９は、それぞれ直線からなる分割線としているが、陳列物の水平断面形状に合わせて、曲線を含む分割線としてもよいし、また、左右凸状保持板Ｅ２０・Ｅ２１を三角形とし、鋭角的な頂点Ｅ２２・Ｅ２３としているが、陳列物の水平断面形状の凹部に装入し易いところの、曲線からなる頂点の形状としてもよい【００２８】  また、連結分割線Ｅ８・Ｅ９は２本の分割線にてＸ字状としているが、一対の彎曲分割線Ｅ６・Ｅ７のそれぞれの中央を結ぶところの１本の分割線とするならば、彎曲分割線Ｅ６・Ｅ７と１本の連結分割線はＨ字状に形成されて、左右対称なる左右凸状保持板はそれぞれ四辺形となり、多様な陳列物の中でも、水平断面形状が四辺形からなる陳列物が、特に安定することになり、また、頂上開口部Ｅ１を、彎曲分割線Ｅ６・Ｅ７と連結分割線Ｅ８・Ｅ９より形成しているが、これらの彎曲・連結分割線を必要としないところの、円形や四辺形の貫通孔であっても、安定した装着状態となる陳列物があることは言うまでもない。【００２９】  また、環状陳列板Ｅは厚み０．３ｍｍ程度の厚紙にて、頂上は頂上開口部Ｅ１を設けることによって彎曲し易いものであり、均一な湾曲とするための補助板を用意して、これを頂上開口部Ｅ１を除くところの頂上の環状陳列板Ｅ内面に接着してもよい。【００３０】  また、右支持板Ｇ・内支持板Ｈを、弓形からなる弓形分割線Ｇ３・Ｈ３より形成しているが、弓形に限定するものではなく、コ字形分割線等の凸形であっても問題はない。【００３１】  また、環状陳列板Ｅの右側板Ｅ１７と内彎曲板Ｆは、互いに接着する右支持板Ｇと内支持板Ｈを除いた部分にて互いに接着しているが、外観上は好ましいとは言えないけれど、右側板Ｅ１７と内彎曲板Ｆを必ず接着する必要はなく、また、内彎曲板Ｆにおいて、内支持板Ｈの弦Ｈ２の両端の延長を切断し、内支持板Ｈが形成するところの、弓形の左辺からなる内彎曲板としてもよい。【００３２】  また、環状陳列体Ｃの展開状態は長方形の外形形状となるが、この長辺は短辺に対して極端に長く、これに対応する梱包用パッケージは規格品には少なく、梱包作業においては、長辺は長くない方が好ましいものであり、内彎曲板Ｆにおける内支持板Ｈの、弦Ｈ２上に折り曲げ線を設け、この折り曲げ線にて内彎曲板Ｆを環状陳���板Ｅ側に折り返して、展開状態における長辺を短くしてもよい。
【実施例２】
【００３３】  実施の形態２を示す図５・６において、環状陳列体Ｄの左右のうちの右側には、右側板Ｊ１７と内彎曲板Ｋに、それぞれ右支持板Ｍと内支持板Ｎを突設し、左側には、左側板Ｊ１６と外彎曲板Ｌに、それぞれ左支持板Ｐと外支持板Ｑを突設する実施例である。【００３４】  環状陳列体Ｄは厚み０．３ｍｍ程度の、ある程度の弾性を有するところの厚紙にて、四辺Ｊ２〜Ｊ５からなる長方形の外形形状の環状陳列板Ｊと、四辺Ｋ１〜Ｋ４からなる長方形の外形形状の内彎曲板Ｋ、及び四辺Ｌ１〜Ｌ４からなる長方形の外形形状の外彎曲板Ｌより構成されており、環状陳列板Ｊの左右辺Ｊ３・Ｊ５のうちの一方の右辺Ｊ５と、外彎曲板Ｌの左辺Ｌ２を一体とし、他方の左辺Ｊ３と内彎曲板Ｋの右辺Ｋ４を一体としている。【００３５】  内彎曲板Ｋは、上述の実施の形態１の内彎曲板Ｆと同等であり、内彎曲板Ｋの四辺Ｋ１〜Ｋ４、頂点Ｎ１、弦Ｎ２、弓形分割線Ｎ３、内支持板Ｎは、上述の実施の形態１の内彎曲板Ｆの四辺Ｆ１〜Ｆ４、頂点Ｈ１、弦Ｈ２、弓形分割線Ｈ３、内支持板Ｈにそれぞれ相当するものである。【００３６】  環状陳列板Ｊは、上述の実施の形態１の環状陳列板Ｅと同等であり、頂上開口部Ｊ１、辺Ｊ２〜Ｊ５、彎曲分割線Ｊ６・Ｊ７、連結分割線Ｊ８・Ｊ９、左端Ｊ１０・Ｊ１２、右端Ｊ１１・Ｊ１３、左右側板Ｊ１６・Ｊ１７、頂上Ｊ１８、貫通孔Ｊ１９、左右凸状保持板Ｊ２０・Ｊ２１、頂点Ｊ２２・Ｊ２３、下部Ｊ２４、右支持板Ｍ、頂点Ｍ１、弦Ｍ２、弓形分割線Ｍ３は、上述の実施の形態１の環状陳列板Ｅの頂上開口部Ｅ１、辺Ｅ２〜Ｅ５、彎曲分割線Ｅ６・Ｅ７、連結分割線Ｅ８・Ｅ９、左端Ｅ１０・Ｅ１２、右端Ｅ１１・Ｅ１３、左右側板Ｅ１６・Ｅ１７、頂上Ｅ１８、貫通孔Ｅ１９、左右凸状保持板Ｅ２０・Ｅ２１、頂点Ｅ２２・Ｅ２３、下部Ｅ２４、右支持板Ｇ、頂点Ｇ１、弦Ｇ２、弓形分割線Ｇ３にそれぞれ相当するものであるが、左側板Ｊ１６の下部Ｊ２４には、左支持板Ｐを配設している。【００３７】  左支持板Ｐは、環状陳列板Ｊと内彎曲板Ｋを一体とする辺Ｊ３、及びＫ４を対称軸として、内彎曲板Ｋの内支持板Ｎに対称とするものであり、左支持板Ｐの頂点Ｐ１、弦Ｐ２、弓形分割線Ｐ３は、内支持板Ｎの頂点Ｎ１、弦Ｎ２、弓形分割線Ｎ３にそれぞれ相当して、環状陳列板Ｊの頂上開口部Ｊ１に向かう頂点Ｐ１と、環状陳列板Ｊの左辺Ｊ３に平行するところの弦Ｐ２からなる弓形分割線Ｐ３より形成されている。【００３８】  外彎曲板Ｌは、環状陳列板Ｊの右辺Ｊ５の延長に付設されたものであり、外彎曲板Ｌの四辺Ｌ１〜Ｌ４のうちの左辺Ｌ２と、環状陳列板Ｊの右辺Ｊ５を一体とし、環状とした環状陳列板Ｊの左側板Ｊ１６の外面に沿って重ね合わせられており、この外彎曲板Ｌには外支持板Ｑを配設している。【００３９】  外支持板Ｑは、環状陳列板Ｊと外彎曲板Ｌを一体とする辺Ｊ５、及びＬ２を対称軸として、環状陳列板Ｊの右支持板Ｍに対称とするものであり、外支持板Ｑの頂点Ｑ１、弦Ｑ２、弓形分割線Ｑ３は、右支持板Ｍの頂点Ｍ１、弦Ｍ２、弓形分割線Ｍ３にそれぞれ相当して、環状陳列板Ｊの頂上開口部Ｊ１に向かう頂点Ｑ１と、外彎曲板Ｌの左辺Ｌ２に平行するところの弦Ｑ２からなる弓形分割線Ｑ３より形成されている。【００���０】  なお、左支持板Ｐと外支持板Ｑは、内支持板Ｎと右支持板Ｍにそれぞれ対称としているが、外彎曲板Ｌが環状陳列板Ｊの左側板Ｊ１６の外面に沿って密着された状態に限って、左支持板Ｐと外支持板Ｑは、弾力性を有する材質により元の状態に戻ろうとする反発力が発生して彎曲することはなく、左支持板Ｐと外支持板Ｑを、ほぼ水平状態に近い状態にて環状陳列体Ｄの左方向に突設した場合、左支持板Ｐが外支持板Ｑ上に密着できるものとしている。【００４１】  したがって、環状陳列板Ｊの頂上開口部Ｊ１により陳列物の装着状態が安定するとともに、左支持板Ｐと外支持板Ｑ、及び右支持板Ｍと内支持板Ｎを、環状陳列体Ｄの左右方向に突設して接着剤にてそれぞれ互いに接着すると、外彎曲板Ｌと左側板Ｊ１６、及び内彎曲板Ｋと右側板Ｊ１７がそれぞれ重なり合って彎曲することとなり、この外彎曲板Ｌと左側板Ｊ１６、及び内彎曲板Ｋと右側板Ｊ１７をそれぞれ互いに接着するならば、環状陳列体Ｄを環状の構造とする作業は容易であり、環状陳列体Ｄが安定した載置状態となるものであり、また、これらの互いに接着する作業を除けば、弾力性を有する材料をもって扁平状に折り畳みができ、小さなスペースで保管・輸送が可能な折り畳み式の環状陳列体Ｄとなる。【００４２】  上述の実施例において、環状陳列板Ｊの左側板Ｊ１６と外彎曲板Ｌは、互いに接着する外支持板Ｑと左支持板Ｐを除いた部分にて互いに接着しているが、外観上は好ましいとは言えないけれど、左側板Ｊ１６と外彎曲板Ｌを必ず接着する必要はなく、また、外彎曲板Ｌにおいて、外支持板Ｑの弦Ｑ２の両端の延長を切断し、外支持板Ｑが形成するところの、弓形の右辺からなる外彎曲板としてもよい。
【符号の説明】
【００４３】Ａ、Ｅ、Ｊ  環状陳列板
Ｂ、Ｃ、Ｄ  環状陳列体
Ｆ、Ｋ  内彎曲板
Ｌ  外彎曲板
Ｈ、Ｎ  内支持板
Ｇ、Ｍ  右支持板
Ｐ  左支持板
Ｑ  外支持板
【図１】
0003197128.tif 000003
【図２】
0003197128.tif 000004
【図３】
0003197128.tif 000005
【図４】
0003197128.tif 000006
【図５】
0003197128.tif 000007
【図６】
0003197128.tif 000008